(57)【要約】【課題】極めて多くのマイナスイオンを放出し、高いリラクゼーションを与えることができる新規な芳香用加熱器を提案する。【解決手段】芳香材６が収容され下面は炎４ａにより加熱されるとともに、陶磁製材料により成形されてなる芳香材収容部３ｃを備えてなり、この芳香材収容部３ｃの少なくとも下面には、マイナスイオン放出材７が塗布されてなる。【選択図】　　　　図１
2004089337.tif 000002
【特許請求の範囲】
【請求項１】
芳香材が収容され下面は炎により加熱されるとともに、陶磁製材料により成形されてなる芳香材収容部を備えてなり、
この芳香材収容部の少なくとも下面には、マイナスイオン放出材が塗布されてなることを特徴とする芳香用加熱器。
【請求項２】
前記マイナスイオン放出材は、該マイナスイオン放出材が塗布された後に焼成されてなることを特徴とする請求項１記載の芳香用加熱器。
【請求項３】
内側にロウソクが収容される収容空間が形成されてなるとともに、上部には開口が形成されてなる加熱器本体と、この加熱器本体の上部に上記開口を閉塞するように載置され芳香材が収容される収容部が形成されてなる芳香材収容部材と、を備え、
上記芳香材収容部材の下面には、マイナスイオン材が塗布されてなることを特徴とする芳香用加熱器。
【請求項４】
前記マイナスイオン放出材は、トルマリンを含有してなることを特徴とする請求項１，２又は３記載の何れかの芳香用加熱器。
【発明の詳細な説明】
【０００１】
【発明が属する技術分野】
本発明は、例えば、ハーブオイルや茶葉等の芳香材を、ロウソク等の炎により加熱する芳香用加熱器に関するものである。
【０００２】
【従来の技術】
近年、ミント，レモンバーム，ラベンダー等のハーブオイルや、茶葉等の芳香材を加熱し、その香りを芳香させる芳香用加熱器が販売されている。この芳香用加熱器は、何れも陶磁製材料により成形されてなるものであり、内側にロウソク等の加熱手段を収容する収納空間が形成され、上部には、上記ハーブオイル等の芳香材を収容する皿状の芳香材収容部が形成されたものや、内側に上記ロウソク等の加熱手段が収容される加熱器本体と、この加熱器本体上に載置され上記ハーブオイル等の芳香材を収容する皿状の芳香材収容部材とから構成されたものである。
【０００３】
これら従来の芳香用加熱器によれば、ロウソク等の加熱手段により、上記芳香材収容部又は芳香材収容部材に収容された芳香材は加熱され、該芳香材が上述したハーブオイルである場合には気化し、茶葉である場合には焙じられて、辺りにその香りが芳香する。
【０００４】
【発明が解決しようとする課題】
ところで、上述した芳香用加熱器は、何れも芳香材を加熱することにより、その香りにより使用者にリラクゼーションを与えるものであるが、近年、さらにこうしたリラクゼーションを与える効果が高いものとして、マイナスイオンが注目を集めている。このマイナスイオンを放出する物質としては種々の物質が上げられるが、従来の芳香用加熱器の材料内に、こうした物質を添加し、成形することにより、リラクゼーションを与える効果を一層高いものとすることが考えられる。しかしながら、上述したように、陶磁製材料にマイナスイオンを放出する物質を添加し、成形したとしても、現実には余り多くのマイナスイオンが放出されない。
【０００５】
そこで、本発明は、上述した従来の芳香用加熱器が有する課題を解決するために提案されたものであって、極めて多くのマイナスイオンを放出し、高いリラクゼーションを与えることができる新規な芳香用加熱器を提案することを目的とするものである。
【０００６】
本発明は、上記目的を達成するために提案されたものであって、第１の発明（請求項１記載の発明）は、芳香材が収容され下面は炎により加熱されるとともに、陶磁製材料により成形されてなる芳香材収容部を備えてなり、この芳香材収容部の少なくとも下面には、マイナスイオン放出材が塗布されてなることを特徴とするものである。
【０００７】
この第１の発明によれば、芳香材収容部が、例えば、ロウソクの炎により加熱されると、芳香材収容部に収容された芳香材から香りが放たれるとともに、該芳香材収容部の下面に塗布されたマイナスイオン放出材から極めて多くのマイナスイオンが放出され、高いリラクゼーションを与えることができる。
【０００８】
なお、この第１の発明を構成するマイナスイオン放出材は、例えば、ガーネット，トルマリン，ジルコニウム，バリウム，ランタン，セリウム，ネオジウム等の鉱物からなる粉体を使用することができ、これらの物質の１種又は２種以上を組み合わせて使用しても良い。また、この第１の発明においては、上記マイナスイオン放出材は、少なくとも、芳香材収容部の下面、すなわち、ロウソク等の炎が当る部位に形成されている必要がある。マイナスイオン放出層がこうした芳香材収容部の下面に形成され、炎により加熱されることにより、極めて多くのマイナスイオンを放出させることができる。なお、第４の発明（請求項４記載の発明）のように、マイナスイオン放出材は、トルマリンを含有してなるものとすれば、安価に製造することができる。
【０００９】
また、第２の発明（請求項２記載の発明）は、上記第１の発明において、前記マイナスイオン放出材は、該マイナスイオン放出材が塗布された後に焼成されてなることを特徴とするものである。
【００１０】
この第２の発明によれば、上記マイナスイオン放出材が塗布された後に焼成されることにより、後に該マイナスイオン放出材が剥離し、または脱落する危険性を有効に防止することができる。
【００１１】
また、第３の発明（請求項３記載の発明）は、内側にロウソクが収容される収容空間が形成されてなるとともに、上部には開口が形成されてなる加熱器本体と、この加熱器本体の上部に上記開口を閉塞するように載置され芳香材が収容される収容部が形成されてなる芳香材収容部材と、を備え、上記芳香材収容部材の下面には、マイナスイオン放出材が塗布されてなることを特徴とするものである。
【００１２】
この第３の発明は、加熱器本体と芳香材収容部材とがそれぞれ別体とされてなるものであり、このように構成された芳香用加熱器によれば、芳香材収容部材の下面にマイナスイオン放出材を塗布する作業が極めて簡単となり、短時間に製造することが可能となる。
【００１３】
【発明の実施の形態】
以下、本発明の一実施の形態に係る芳香用加熱器について、図面を参照しながら詳細に説明する。
【００１４】
先ず、第１の実施の形態に係る芳香用加熱器１について、図１を参照しながら詳細に説明する。この芳香用加熱器１は、台座板２と、この台座板２上に載置されてなる加熱器本体３と、この加熱器本体３の内側に収容されたロウソク４とから構成されている。上記台座板２と加熱器本体３とは、何れも陶磁製材料により成形されてなるものであり、上記台座板２は、平面視において略円盤状に成形されている。また、上記加熱器本体３は、下部に円形状の開口３ａが形成され、内側はロウソク４が収容される収容空間５が形成されている。また、この加熱器本体３の側部には、ロウソク４の炎４ａからの灯火を外部に放射する小孔３ｂが形成されている。
【００１５】
また、上記加熱器本体３の上部には、芳香材である茶葉６が載置収容される皿状の凹部３ｃが形成されているとともに、この凹部３ｃの下面には、本発明を構成するマイナスイオン放出材７が塗布されている。上記凹部３ｃは、本発明を構成する芳香材収容部である。また、上記マイナスイオン放出材７は、トルマリンを主原料とするものであり、上記ロウソク４の炎４ａの位置に対応した位置に塗布されている。このマイナスイオン放出材７は、粉状となされたトルマリンに珪酸ソーダを添加したものであって、上記加熱器本体３を成形し、乾燥させた後に約摂氏１１００度〜１２００度で焼成した後に、上記凹部３ｃの下面に塗布し、さらに摂氏約４００度〜６００度で焼成されたものである。なお、上記ロウソク４は、皿状に成形されたロウソク用容器８に収容されている。
【００１６】
上述した第１の実施の形態に係る芳香用加熱器１によれば、上記凹部３内に茶葉６を収容し、上記ロウソク４に点火して該凹部３ｃを加熱させると、上記茶葉６が焙じられて、辺りにその香りが芳香されるとともに、上記マイナスイオン放出材７から大量のマイナスイオンが放出される。したがって、この第１の実施の形態に係る芳香用加熱器１によれば、茶葉６の香りと上記マイナスイオン放出材７から放出されたマイナスイオンとにより、より大きなリラクゼーションを与えることが可能となる。特に、この実施の形態に係る芳香用加熱器１では、上記マイナスイオン放出材７は、凹部３ｃの下面に塗布された後に焼成されてなることから、該マイナスイオン放出材７が、不用意に剥離し又は脱落することを有効に防止することができる。
【００１７】
なお、上記第１の実施の形態に係る芳香用加熱器１では、加熱器本体３と凹部３ｃである芳香材収容部とが一体成形されてなるものであるが、本発明に係る芳香用加熱器は、加熱器本体と芳香材収容部とが別体に成形されてなるものであっても良い。図２は、加熱器本体１１と、芳香材収容部材１２とが別体に成形されてなる芳香用加熱器１０を示すものであり、この加熱器本体１１及び芳香材収容部材１２とは共に陶磁製材料により成形・焼成されてなるものである。そして、上記加熱器本体１１は、底部に３つの脚部１１ａが形成されているとともに、内側にはロウソク１３を収容する収容空間１４が形成されている。また、この加熱器本体１１の側部には、上記ロウソク１３を出し入れする大型開口１１ｂと、内部に収容されたロウソク１３の炎１３ａの灯火を外部に放射する小孔１１ｃが形成されている。なお、上記ロウソク１３は、把手１５ａが形成されたロウソク用容器１５に収容されている。
【００１８】
また、上記芳香材収容部材１２は、皿状に成形されてなるものであり、上面には、図示しない茶葉又はアロマオイルが収容される収容部１２ａが形成されている。また、この芳香材収容部材１２の下面（底面）には、本発明を構成するマイナスイオン放出材１６が塗布されている。このマイナスイオンは放出材１６は、前記第１の実施の形態に係る芳香用加熱器１を構成するマイナスイオン放出材７と同じ構成かなるものであり、製造工程も同じ工程からなる。
【００１９】
上述した第２の実施の形態に係る芳香用加熱器１０による場合であっても、第１の実施の形態に係る芳香用加熱器１と同じ作用効果を奏することができるとともに、この第２の実施の形態に係る芳香用加熱器１０によれば、加熱器本体１１と芳香材収容部材１２とが別体とされていることから、マイナスイオン放出材１６の塗布工程は極めて簡単となり、また、該芳香材収容部材１２が割れたり、欠けたりした場合であっても、他の芳香材収容部材１２と交換することが可能となる。
【００２０】
なお、上記各実施の形態に係る芳香用加熱器１，１０では、本発明を構成するマイナスイオン放出材７，１６を、凹部３ｃ又は芳香材収容部材１２の下面にのみ塗布したが、本発明を構成するマイナスイオン放出材は、少なくとも芳香材収容部又は芳香材収容部材の下面に塗布されていれば良く、例えば、上記第１の実施の形態に係る芳香用加熱器１を構成する加熱器本体３全体に塗布されていたり、或いは、第２の実施の形態に係る芳香材加熱器１０を構成する芳香材収容部材１２全体に塗布されているものであっても良い。
【００２１】
【発明の効果】
前述した本発明の一実施の形態の説明からも明らかなように、本発明によれば、芳香材収容部が、例えば、ロウソクの炎により加熱されると、芳香材収容部に収容された芳香材から香りが放たれるとともに、該芳香材収容部の下面に塗布されたマイナスイオン放出材から極めて多くのマイナスイオンが放出され、高いリラクゼーションを与えることができる。
【００２２】
特に、第２の発明（請求項２記載の発明）では、マイナスイオン放出材が塗布された後に焼成されてなることから、後に該マイナスイオン放出材が剥離し、または脱落する危険性を有効に防止することができる。
【００２３】
また、第３の発明（請求項３記載の発明）では、加熱器本体と芳香材収容部材とがそれぞれ別体とされてなるものであり、このように構成された芳香用加熱器によれば、芳香材収容部材の下面にマイナスイオン放出材を塗布する作業が極めて簡単となり、短時間に製造することが可能となる。
【図面の簡単な説明】
【図１】第１の実施の形態に係る芳香用加熱器を示す断面図である。
【図２】第２の実施の形態に係る芳香用加熱器を示す断面図である。
【符号の説明】
１　　芳香用加熱器
３　　加熱器本体
３ｃ　　凹部（芳香材収容部）
４　　ロウソク
５　　収容空間
６　　茶葉
７　　マイナスイオン放出材
１０　　芳香用加熱器
１１　　加熱器本体
１２　　芳香材収容部材
１３　　ロウソク
１４　　収納空間
１６　　マイナスイオン放出材
【図１】
2004089337.tif 000003
【図２】
2004089337.tif 000004